(57)【特許請求の範囲】
【請求項１】
取り付け金具と、 
取り付け金具の上に組み合わせられる載置体と、
載置体の上面に組み合わせられる係止体と、
穴が形成された押さえ金具と、
係止体と押さえ金具の穴とに挿通された固定手段を備えて成り、
固定手段が締め付けられることによって、
載置体に載置された屋根上設置物を、
押さえ金具で上方から押圧して固定する
屋根上設置物の固定装置であって、
前記載置体は、
上面に、係止体保持部と
その少なくとも一側の載置部が形成され、
係止体が上方へ抜けるのを止める手段を有しており、
前記係止体は、
固定手段が組み合わせられる挿通孔を形成した平面部を有し、
載置体の側面に当接される当接部が形成されており、
係止体が前記係止体保持部に
着脱可能に組み合わせられたときに、
載置体の側面に係止体の当接部が当接することによって、
少なくとも屋根における桁行方向に位置決めされることを特徴とする
屋根上設置物の固定装置。
【請求項２】
係止体は、導電性を有し、
屋根上設置物に食い込む突起を有しており、
前記係止体によって、
屋根上設置物同士を電気的に接続可能である
請求項１記載の屋根上設置物の固定装置。
【請求項３】
載置体には、 
載置部よりも下位の側面に、
管材支持具の固定手段が保持される保持部が形成されていることを特徴とする
請求項１又は請求項２記載の屋根上設置物の固定装置。
【請求項４】
載置部が、
傾斜を形成しており、
屋根上設置物を傾斜させて設置可能である
請求項１又は請求項２又は請求項３記載の屋根上設置物の固定装置。
【発明の詳細な説明】
【技術分野】
【０００１】
本願は、屋根材等に、屋根上設置物を固定するための装置に関するものである。
【背景技術】
【０００２】
従来技術について、まず図６により説明する。いずれも、本出願人が提案したものである。図６（ア）は、特許第４７４６６５０号公報に記載されたものであり、図６（イ）は、意匠登録第１３４１８３２号公報に記載されたものである。
【０００３】
（ア）の取り付け金具Ａは、載置体ｂと挟持体ａとが回動軸ｊで連結されていて、同じ回動軸ｊによって、載置体ｂが傾動可能である。このため、簡単な仕組みでありながら、屋根上設置物を載せることで傾きが修正されて平坦状態を保持できるという効果がある。
【０００４】
（イ）の意匠の説明には、「隣り合う太陽電池モジュール間に本物品を挿入し、それぞれの太陽電池モジュールの枠体に形成されている溝に掛止部を引っ掛け、底面を、折板屋根上に固定されたモジュール受け金具の上面に固定する。」と記載されている。そのため、（ア）の載置部ｂ１に対して、（イ）を載せて太陽電池モジュールを固定して、隣り合う太陽電池モジュール同士を導通させることができる。
【０００５】
図７（ア）（イ）（ウ）は、特許第４６７９４０９号公報に記載された技術である。（ア）はその図３であり、（イ）はその図５であり、（ウ）はその図８である。
【０００６】
特許第４６７９４０９号公報の請求項１には、「屋根上に配設される太陽電池モジュールを両端に載置するための載置部、及び長手方向に延びる上辺溝部を有した横桟と、該横桟の前記載置部に載置された前記太陽電池モジュール同士を同時に上側から押えられると共に上下方向に貫通する貫通孔を有する押え部材と、該押え部材の前記貫通孔に挿通されるボルトと、該ボルトを受けるボルト受部を有し、前記押え部材の下側に位置するように前記横桟の前記上辺溝部内に挿入され、前記ボルトにより前記押え部材と前記ボルト受部とを締結することで、前記太陽電池モジュール同士と前記横桟とを同時に固定すると共に電気的に接続するアース固定金具とを具備し、該アース固定金具は、前記ボルト受部が形成された本体部から上側に延び、その先端が前記太陽電池モジュールの下側及び前記横桟における前記上辺溝部の内面上側と接触する立上り部を具備することを特徴とする太陽電池モジュールの取付構造。」と、記載されている。
【０００７】
図８は、特許第４６７９４３５号公報に記載された技術で、電設管やケーブルといった管材の収納構造に関するものである。特許第４６７９４３５号公報の請求項１には、「内部に配線材を収納可能な収納空間、該収納空間と連通し長手方向に延びる開口部、及び前記収納空間内の向かい合う面に形成され長手方向へ延びる複数の溝、を有し、屋根上に屋根上設置物を取付けるための桟と、該桟の前記開口部を閉鎖し、前記収納空間内の向かい合う面に形成された前記溝と嵌合する一対の突起部を備えた閉鎖部材とを具備することを特徴とする屋根上設置物の配線収納構造。」と、記載されている。
【０００８】
図９は、特開２００５−３２１０６５号公報に記載された技術である。そこに使用されている技術を応用し、図６（ア）の金具に組み合わせ、取り付け方向にとらわれずに、管材を連結具２０に保持することが考えられる。
【先行技術文献】
【特許文献】
【０００９】
【特許文献１】特許第４７４６６５０号公報
【特許文献２】意匠登録第１３４１８３２号公報
【特許文献３】特許第４６７９４０９号公報
【特許文献４】特許第４６７９４３５号公報
【特許文献５】特開２００５−３２１０６５号公報
【発明の概要】
【発明が解決しようとする課題】
【００１０】
図６（ア）は、載置体から上向きに突出している固定手段Ｂであるボルトは交換しにくかった。たとえば長さの違うボルトにしたいとき、外すのも再び取り付けるのも困難であった。
【００１１】
図６（ア）では、屋根上設置物の傾斜設置を実現できるが、より安定した状態で傾斜設置させる改良が求められていた。
【００１２】
図６（ア）（イ）の組み合わせの場合には、（イ）の掛止部は下向きで、そこに形成された突起で導通する仕組みである。このため、太陽光発電パネルの枠体の形状によっては、これらの金具の組み合わせでは太陽光発電パネル同士を導通させることができなかった。従って、枠体に合わせて金具を製作するか、金具によって使用する太陽光発電パネルが限定されていた。
【００１３】
最初に記載した図６の導通に関する問題点については、図７の技術が解決している。しかし、図７の横桟８は長尺であり、アース固定金具１・２４を、上辺溝部１０に対して摺動させて用いる。まず、高価な長尺の横桟８が必要となるし、複数のアース固定金具１・２４を、側方から挿入する手間がかかっていた。アース固定金具１・２４の位置決めは難しく、それぞれのアース固定金具１・２４を所定の位置に設置するのに時間や手間がかかった。
【００１４】
図７は主眼がアース固定金具１・２４に関するものである。このため、横桟８の屋根への取り付け方法が記載されていない。横桟８は、屋根に固定された縦桟に交差させて取り付けると思われる。縦桟という別体の施工が必要であり、そこに横桟８を取り付ける手間もかかっていた。また、横桟８は、縦桟を用いずに、屋根に取り付けられた金具に取り付ける場合もある。しかし、複数の金具に横桟８を架け渡して取り付けていくため、手間がかかっていた。
【００１５】
図８は、横桟や縦桟に、閉鎖部材２０１を嵌合させることで配線材３０１を固定している。このため、配線をやり直そうとして外す場合に手間がかかっていた。また、配線の方向が限られるため、たとえば、横桟に用いた場合には、軒棟方向への配線が難しかった。
【００１６】
図９を応用した場合には、クリップ本体１０のような金具を用い、弾性を利用して取り付け金具に挟着することが考えられる。しかし、図９は一般形鋼用であるため、屋根材に固定される金具やクリップ本体１０を取り付ける金具に関する技術は開示されていなかった。
【００１７】
本願は、これまで述べた課題を解決するために、固定手段の交換が容易であり、載置体を取り付けた上で、同時に導通も簡単に行える屋根上設置物の固定装置を提供することを目的とする。また、管材支持具の固定手段を保持する保持部によって、ケーブル等の管材の取り付けや取り外しが容易な固定装置を提供することを目的とする。さらに、係止体の固定と屋根上設置物の固定が確実に成される装置を提供することを目的とする。それに加え、屋根上設置物を安定した状態で傾斜設置させることができる装置を提供することを目的とする。
【課題を解決するための手段】
【００１８】
本願の屋根上設置物の固定装置は、次のような部材の組み合わせから成っている。まず、縦葺きや横葺きといった屋根材に取り付けたり、陸屋根上の部材に取り付けたりする取り付け金具を有している。そして、その取り付け金具の上に組み合わせられる載置体と、載置体の上面に組み合わされる係止体と、穴が形成された押さえ金具と、係止体と押さえ金具の穴とに挿通された固定手段を備えている。本願は、固定手段を締め付けることによって、載置体に載置された屋根上設置物を、押さえ金具で上方から押圧して固定する屋根上設置物の取り付け装置である。
【００１９】
載置体は、上面に、係止体保持部と少なくとも一側の載置部を有しており、その載置部に屋根上設置物を載置する。また、載置体は、係止体が上方へ抜けるのを止める手段を有している。   
【００２０】
係止体は、ボルトやナットといった固定手段が組み合わせられる挿通孔を形成した平面部を有している。また、載置体の側面に当接される当接部が形成されている。そして、係止体が前記係止体保持部に着脱可能に組み合わせられたときに、載置体の側面に係止体の当接部が当接することによって、少なくとも屋根における桁行方向に位置決めされることを特徴とする屋根上設置物の固定装置である。
【００２１】
このような部材は、次のように用いられる。取り付け金具が屋根材や所定の部材に取り付けられ、載置体の載置部に屋根上設置物が載置され、前記係止体と組み合わせられた固定手段によって、押さえ金具で屋根上設置物を押圧して固定する。
【００２２】
また、本願の屋根上設置物の固定装置は、上記の特徴に加え、係止体が、導電性を有し、屋根上設置物に食い込む突起を有する。載置体の載置部に屋根上設置物が載置され、前記係止体と組み合わせられた固定手段によって、押さえ金具で屋根上設置物を押圧して固定する。そのときに、突起が屋根上設置物に食い込み、その係止体によって、電気的に接続させることができることを特徴とする。
【００２３】
さらに、本願の屋根上設置物の固定装置は、上記の特徴に加え、載置体には、載置部よりも下位の側面に、管材支持具の固定手段が保持される保持部が形成されていることを特徴とする。
【００２４】
そのほか、本願の屋根上設置物の固定装置は、上記の特徴に加え、載置部が、傾斜を形成している。その傾斜により、屋根上設置物を傾斜させて設置可能であることを特徴とする。
【発明の効果】
【００２５】
本願によれば、図７の横桟８とは異なり、係止体を組み合わせることができる載置体が、取り付け金具に組み合わせられて固定装置を成している。このため、安価で簡単な仕組みによって、屋根材等に組み合わせることができる。 
【００２６】
また、係止体は、当接部によって少なくとも桁行方向に位置決めされているので、摺動させて位置決めする必要がない。係止体がずれることなく所定の位置に来るので、固定手段が容易に位置決めできる。さらに、係止体が着脱可能なため、固定手段を容易に交換できる。
【００２７】
本願の請求項２によれば、導電性を有する係止体を適切な位置に固定させることができるので、突起によって電気的接続を確実に行える。
【００２８】
本願の請求項３によれば、載置体の保持部に、管材支持具を固定することができる。このため、図８と異なり、外してやり直すことが容易である。また、支持する管材の取り付け方向が限定されない。さらに、図９と異なり、金具の弾性を利用した取り付けではないため、配管の際に管材支持具が外れてしまうこともない。
【００２９】
本願の請求項４によれば、載置部が傾斜を形成しているので、屋根上設置物を傾斜させて設置可能である。
【図面の簡単な説明】
【００３０】
【図１】本願の屋根上設置物の固定装置に用いる部材の実施例を示す説明図である。
【図２】図１の部材の正面図である。
【図３】図１の部材の右側面図である。
【図４】図１の部材に、管材支持具Ｈを組み合わせた場合の実施例の説明図である。
【図５】本願の屋根上設置物の固定装置を用いて、太陽光発電パネルを固定した状態を示す実施例の説明図である。
【図６】（ア）（イ）は従来技術を示す説明図である。
【図７】（ア）（イ）（ウ）は従来技術を示す説明図である。
【図８】従来技術を示す説明図である。
【図９】従来技術を示す説明図である。
【実施例】
【００３１】
本願の屋根上設置物の固定装置の実施例について、まず、図１から図３により説明する。図１から図３は、本願の屋根上設置物の固定装置の実施例において、取り付け金具Ａと載置体Ｎと係止体Ｄを示す説明図である。次に、本願の固定装置の施工状態について、図４及び図５により説明する。図４は、図１の載置体Ｎに、管材支持具Ｈを組み合わせた場合の実施例の説明図である。図５は、本願の屋根上設置物の固定装置を用いて、太陽光発電パネルＴを固定した状態を示す実施例の説明図である。
【００３２】
本実施例の取り付け金具Ａは、縦葺きの屋根材Ｒに取り付ける場合の実施例を示しており、次のような部材から成っている。まず、挟持体Ｍから説明する。挟持体Ｍは、対向する挟持部Ｍ１・Ｍ１を有している。挟持体Ｍは、回動軸Ｊにより開閉する仕組みになっていて、縦葺き屋根の突条を締め付け手段Ｓで締め付け、挟持部Ｍ１・Ｍ１で挟持する。挟持体Ｍは、前記回動軸Ｊによって、載置体Ｎの連結部Ｎ５・Ｎ５と連結されている。
【００３３】
その載置体Ｎは、本実施例では、上面に、桁行方向に延びる係止体保持部Ｎ２と、その両側の載置部Ｎ１・Ｎ１を有している。なお、載置部Ｎ１は一側であってもよい。この載置部Ｎ１・Ｎ１に、屋根上設置物である太陽光発電パネルＴ・Ｔを載置する。係止体保持部Ｎ２は、載置体Ｎの上面の中央部分に形成されていて、対向する溝部Ｎ３・Ｎ３を有している。係止体保持部Ｎ２の底面は、後述する係止体Ｄに組み合わされている固定手段Ｋであるボルトの頭部または、ナットを回り止め状態に保持することができる幅を有している。また、溝部Ｎ３・Ｎ３は、係止体Ｄの立面部Ｄ３・Ｄ３を側方から差し込むためのガイド溝となっている。溝部Ｎ３・Ｎ３の上端縁は、係止体Ｄが上方に抜けるのを止められる形状になっている。
【００３４】
また、本実施例の場合には、保持部Ｎ４が形成されている。保持部Ｎ４は、載置部Ｎ１よりも下位の側面に形成されている。本実施例では、載置部Ｎ１・Ｎ１端縁のうち、軒側となる側方に、係止体保持部Ｎ２と平行に、保持部Ｎ４を形成している。保持部Ｎ４によって、管材支持具Ｈの固定手段Ｋを保持する。図１の場合には、保持部Ｎ４は溝状になっていて、固定手段Ｋである取り付けボルトの頭部やナットを回り止め状態に保持する形状に形成されている。図４及び図５に示した通り、この取り付けボルトに管材支持具Ｈを取り付ける。管材支持具Ｈは、本実施例の場合には、断面略Ｌ字状の側面を有していて、保持部Ｎ４への取り付け部分と、管材支持具Ｈの取り付け部分である穴を形成している。その取り付け部分の向きを変えることによって、管材支持具Ｈを保持部Ｎ４へ取り付ける位置を変えることもできる。
【００３５】
さらに、係止体Ｄが、載置体Ｎの係止体保持部Ｎ２に対して、着脱可能に組み合わせられている。この係止体Ｄは、本実施例の場合には、平面部Ｄ２と、平面部Ｄ２の対向する二辺を立ち上げた立面部Ｄ３・Ｄ３を有している。平面部Ｄ２には、挿通孔Ｄ２ａが形成されていて、固定手段Ｋを組み合わせる。平面部Ｄ２の他の対向する二辺は、一側が折り下げられて折り下げ部Ｄ５となっている。その折り下げ部Ｄ５には、上向きの突起Ｄ１・Ｄ１が形成されている。折り下げ部Ｄ５の他側には、当接部Ｄ４・Ｄ４が形成されている。なお、上向きの突起Ｄ１によって、屋根上設置物である太陽光発電パネルＴ・Ｔ同士を導通させる場合、係止体Ｄは導電性を有しなければならない。
【００３６】
係止体Ｄが係止体保持部Ｎ２に対して適切な位置まで差し込まれたとき、当接部Ｄ４・Ｄ４が載置体Ｎの側面に当接する。当接部Ｄ４・Ｄ４の他側は折り下げ部Ｄ５となっており、載置体Ｎの側面に当接する。係止体Ｄの当接部Ｄ４・Ｄ４と、当接部となる折り下げ部Ｄ５によって、載置体Ｎの側面に位置決めされるのである。従って、係止体保持部Ｎ２に対する係止体Ｄ及び固定手段Ｋの位置が容易に定まる。のちに固定手段Ｋを交換したいとき、係止体Ｄの当接部Ｄ４・Ｄ４及び折り下げ部Ｄ５の当接を解除し、固定手段Ｋを容易に交換することができる。載置体Ｎの側面と係止体Ｄの当接部の形状は、係止体Ｄが、係止体保持部Ｎ２に対して着脱可能な形状であればよい。
【００３７】
これまで述べた実施例では、係止体保持部Ｎ２は、上面を開口させた溝となっている。また、その溝は、係止体Ｄから上向きに貫通しているボルト頭部を回り止め状態にできる幅となっている。しかし、係止体保持部Ｎ２は、係止体Ｄが、少なくとも屋根における桁行方向に当接される長さを有していればよい。係止体保持部Ｎ２が上方に開口する形状でなく、断面略Ｔ字状にしたり、略ハット形にしたりすることも考えられる。そして、係止体Ｄも、係止体保持部Ｎ２に組み合わせて、載置体Ｎにおいて、少なくとも屋根における桁行方向に当接されることによって位置決めされる形状にする。
【００３８】
本実施例の場合には、係止体保持部Ｎ２が溝状になっていて、軒棟方向にも位置決めされている。このように、軒棟方向にも位置決めできる形状にするのが望ましい。また、本実施例の場合には、係止体保持部Ｎ２の溝部Ｎ３・Ｎ３は、対向する上面を有している。このため、係止体Ｄが固定手段Ｋが締め付けられることによって上方に引き上げられたときに、強固に固定することができる。前記上面の裏面側が当接部となって、係止体Ｄ（本実施例では立面部Ｄ３・Ｄ３の上端縁）が当接するからである。
【００３９】
さらに、載置部Ｎ１の係止体保持部Ｎ２側と、その対向する端縁側とを異なる高さとした傾斜を形成して、屋根上設置物である太陽光発電パネルＴを傾斜設置させることができる。本実施例のように載置体Ｎが回動軸Ｊによって傾動する場合、傾動しない方向に向かって傾斜が形成されている。
【００４０】
続いて、これまで述べた部材の組み合わせについて説明する。挟持体Ｍは、挟持部Ｍ１・Ｍ１を対向させて、側面に締め付け手段Ｓを貫通させて組み合わせる。そして、その挟持体Ｍに載置体Ｎをかぶせ、回動軸Ｊによって、挟持体Ｍと載置体Ｎの連結部Ｎ５・Ｎ５で連結する。その載置体Ｎの係止体保持部Ｎ２に、係止体Ｄを組み合わせる。本実施例の場合には、係止体Ｄの平面部Ｄ２に挿通孔Ｄ２ａが形成されており、固定手段Ｋであるボルトが上向きに組み合わせられている。このような係止体Ｄのそれぞれの立面部Ｄ３・Ｄ３を、係止体保持部Ｎ２の溝部Ｎ３・Ｎ３をガイド溝として差し込んで組み合わせる。こうして、挟持体Ｍと載置体Ｎと係止体Ｄとが一体となった状態で取り付け金具Ａに組み合わせて出荷することができる。
【００４１】
次に、本願の固定装置の施工状態について説明する。まず、取り付け金具Ａの挟持体Ｍの挟持部Ｍ１・Ｍ１を開いて屋根材Ｒ・Ｒの突条にかぶせ、締め付け手段Ｓで締め付けて突条を挟持する。次に、載置体Ｎのそれぞれの載置部Ｎ１・Ｎ１に、屋根上設置物である太陽光発電パネルＴ・Ｔを載せる。本実施例の場合には、係止体保持部Ｎ２の立面に、太陽光発電パネルＴを沿わせるとよい。太陽光発電パネルＴ・Ｔが載せられると、回動軸Ｊによって載置体Ｎが動いたのちに平坦な状態となる。この状態で、押さえ金具Ｏを組み合わせて、固定装置を成す。
【００４２】
押さえ金具Ｏは、本実施例の場合には、上方に開口する形状をしている。そして、穴があけられた底面部Ｏ１と、その対向する二辺を立ち上げた側面部Ｏ２・Ｏ２と、それぞれの側面部Ｏ２・Ｏ２を外側方向に折り曲げた押さえ部Ｏ３・Ｏ３を形成している。このような押さえ金具Ｏの底面部Ｏ１を隣り合う太陽光発電パネルＴ・Ｔの間に挿入し、太陽光発電パネルＴ・Ｔの枠体のそれぞれの上面に押さえ部Ｏ３・Ｏ３をかぶせる。このとき、固定手段Ｋが、位置決めされた係止体Ｄから突出しているので、押さえ金具Ｏを容易に取り付けられる。押さえ金具Ｏは、太陽光発電パネルＴの形状に合わせた形状にする。
【００４３】
次に、係止体Ｄから突出しているボルトを、ナットを用いて締め付ける。締め付けられたボルトによって係止体Ｄが引き上げられ、立面部Ｄ３・Ｄ３が溝部Ｎ３・Ｎ３に当たり、上向きの突起Ｄ１・Ｄ１が屋根上設置物である太陽光発電パネルＴ・Ｔに下側から食い込む。本実施例の溝部Ｎ３・Ｎ３は、立面部Ｄ３・Ｄ３が組み合わせられる内側上部に多少のゆとりがある。そこに組み合わせられる係止体Ｄは、屋根における桁行方向に対して位置決めされている。そこで、ボルトで係止体Ｄが引き上げられたときには、立面部Ｄ３・Ｄ３上端縁が溝部Ｎ３・Ｎ３に対して支点となり、突起Ｄ１・Ｄ１を確実に食い込ませることができる。
【００４４】
本実施例の場合には、突起Ｄ１・Ｄ１を食い込ませることによって、隣り合う太陽光発電パネルＴ・Ｔを係止体Ｄによって電気的に接続させている。このほか、係止体Ｄにアース線等、他の導通手段を組み合わせて、太陽光発電パネルＴ・Ｔ同士を電気的に接続させてもよい。
【００４５】
さらに、載置部Ｎ１が傾斜を形成することによって、屋根上設置物である太陽光発電パネルＴを傾斜設置させることができる。この場合、高さの異なる固定装置を用いる。このとき、回動軸Ｊから載置部Ｎ１までの高さが異なる本願の固定装置によって取り付けてもよいし、低い方のみ又は高い方のみを本願の固定装置としてもよい。このほか、低い方を本願の固定装置とし、高い方を本願の固定装置上に台座を取り付けることによって構成してもよい。
【００４６】
低い方が本実施例に示す固定装置である場合、係止体保持部Ｎ２の立面が滑り止めになり、屋根上設置物が傾斜方向に滑落するのを押さえる。このように、安定した状態に設置することができる。
【００４７】
このようにして、載置体Ｎの載置部Ｎ１に、屋根上設置物である太陽光発電パネルＴが固定されたときに、次のような効果を発揮する。まず、係止体Ｄは、すでに載置体Ｎに組み合わせられ、それぞれの当接部によって位置決めされている。このため、係止体Ｄを移動して位置決めをしなくても、ボルト（固定手段）を適切な位置にすることができるとともに、上向きに突出しているボルトをナットで締め付ければ、簡単で確実に導通させることができる。逆に、ナットを係止体Ｄに組み合わせて、ボルトで締め付けてもよい。
【００４８】
本願の取り付け金具Ａは、屋根材等に組み合わせる。このため、屋根材等に取り付けられた取り付け金具Ａの載置体Ｎに太陽光発電パネルＴなどの屋根上設置物を載せていけばよい。図７のように、長尺の縦桟も、それに交差させた長尺の横桟も不要であり、それらを取り付ける手間も不要である。しかも、載置体Ｎに組み合わせられた係止体Ｄによって、屋根上設置物である太陽光発電パネルＴの枠体同士を容易に導通させることができる。
【００４９】
本実施例の場合には、前述の保持部Ｎ４は溝状で、固定手段Ｋであるボルト頭部やナットを回り止め状態にできる。しかし、保持部Ｎ４は、これ以外の形状でもよい。たとえば、ボルト頭部やナットを回り止め状態にできる凹部を形成したり、別の部品を嵌めて保持部Ｎ４にしたりしてもよい。
【００５０】
これまで述べた実施例では、取り付け金具Ａは、縦葺きの屋根材Ｒの突条に取り付ける場合で説明した。しかし、取り付け金具Ａを、横葺き等の屋根材に合わせて製作し、それに、載置体Ｎや係止体Ｄを組み合わせることもできる。さらに、屋根材上の取り付け金具Ａに対して載置体Ｎを斜めに組み合わせることもできる。また、係止体Ｄの挿通孔Ｄ２ａに組み合わせる固定手段Ｋは、屋根上設置物である太陽光発電パネルＴを固定するものである。本実施例において固定手段Ｋは、係止体Ｄを引き上げ、突起Ｄ１・Ｄ１を太陽光発電パネルＴの枠体に食い込ませる役割もあわせもっている。しかし、係止体Ｄを引き上げる手段は、固定手段Ｋとは別であってもよい。
【００５１】
また、これまで述べた実施例では、屋根上設置物が太陽光発電パネルＴである場合で説明した。屋根上設置物が太陽光発電パネルである場合、太陽光発電パネルＴ・Ｔ同士の導通が容易に実現できる、太陽光の入射角度を効率化するために傾斜させて設置できるなど、本願による効果が大きい。しかし、本願において、太陽光発電パネルＴは屋根上設置物の一例に過ぎない。本願における屋根上設置物とは、屋根上に取り付けられるもの一般を指し、本実施例で示した太陽光発電パネルＴのほか、太陽熱集熱パネル、看板などであってもよい。
【００５２】
さらに、これまで述べた実施例では、固定手段Ｋであるボルトは、係止体Ｄの平面部Ｄ２の挿通孔Ｄ２ａから、単に上向きに突出されている。そして、回り止め状態で、係止体保持部Ｎ２に保持されている。そのような係止体Ｄが、載置体Ｎの係止体保持部Ｎ２に、桁行方向に位置決めされている。このため、当接を解除し、係止体保持部Ｎ２から係止体Ｄを外し、ボルトを容易に交換することができる。それに比べて図７の場合には、アース固定金具１・２４にボルト受け部が形成されていて、そこにボルトを螺合させたり溶接させたりしている。このようなアース固定金具１・２４を、横桟に対して複数挿入している。このため、ボルトを交換するのは困難である。
【符号の説明】
【００５３】
Ａ      取り付け金具
Ｍ      挟持体
Ｍ１    挟持部
Ｎ      載置体
Ｎ１    載置部
Ｎ２    係止体保持部
Ｎ３    溝部      
Ｎ４    保持部 
Ｎ５    連結部  
Ｊ      回動軸
Ｋ      固定手段
Ｄ      係止体
Ｄ１    突起
Ｄ２    平面部
Ｄ２ａ  挿通孔
Ｄ３    立面部
Ｄ４    当接部
Ｄ５    折り下げ部
Ｏ      押さえ金具
Ｏ１    底面部
Ｏ２    側面部
Ｏ３    押さえ部
Ｈ      管材支持具
Ｓ      締め付け手段
Ｒ      屋根材
Ｔ      太陽光発電パネル
【図１】
0005488731.tif 000002
【図２】
0005488731.tif 000003
【図３】
0005488731.tif 000004
【図４】
0005488731.tif 000005
【図５】
0005488731.tif 000006
【図６】
0005488731.tif 000007
【図７】
0005488731.tif 000008
【図８】
0005488731.tif 000009
【図９】
0005488731.tif 000010